(57)【特許請求の範囲】
【請求項１】
一端に回動軸を有する回動レバーにより駆動される穿孔刃と、該穿孔刃が嵌入する嵌入孔を有すると共に該嵌入孔に連通する空所を有する基部と、前記回動軸線と平行なストッパーとを有し、前記穿孔刃と前記嵌入孔及び前記ストッパーにより区画される紙挿入域に挿入された紙に貫通孔を形成するようにした紙穿孔器に於いて、前記基部側壁に前記回動軸の軸線と平行な方向に貫通させた開孔と、該開孔に緩着してあり、該開孔を介し、前記基部の内外に延びる棒状体と、前記基部内に位置している棒状体の対向する第一側と第二側で前記棒状体を摺動し易いように緩着すると共に前記回動軸と平行な方向に案内する第一と第二のガイド部材と、前記第一側と第二側とは異なる対向した第三側と第四側で前記棒状体を、該棒状体の第三側と間隙を適度なものにすると共に前記回動軸と平行な方向に案内する第三と第四のガイド部材と、前記基部に対する前記棒状体の最大突出量を前記基部と衝接することにより規定する前記棒状体に形成した制限手段と、該制限手段で制限された際の前記基部側壁から突出する棒状体部分に設けられる紙サイズに応じた貫通孔の位置を規定するための複数の紙衝接用突起とから成る紙穿孔器。
【請求項２】
前記基部を上部筐体と下部筐体とで構成し、且つ該下部筐体に前記開孔を設けた請求項１記載の紙穿孔器。
【請求項３】
前記下部筐体の開孔を介して前記基部内外に延びる前記棒状体のガイドされた動きを前記上部筐体が妨げないよう該上部筐体を支承するスペーサーを前記下部筐体に設けた請求項２記載の紙穿孔器。
【発明の詳細な説明】
【技術分野】
【０００１】
本発明は書類をファイリングする際の綴じ孔を穿孔するための紙穿孔器に関する。
【背景技術】
【０００２】
従来、所定の紙に規定の綴じ穴を穿孔する場合、簡易手法として、所定の紙の穿孔すべき辺を二つ折りにし、この折り目を紙穿孔器のセンターマーカーに合わせて、穿孔するものであった。
【０００３】
又、この二つ折りの煩雑さや、折り目の発生を避けるため、図１及び図２に示す如き紙穿孔器の穿孔位置画定装置が提供されていた。
このような穿孔位置画定装置を装備した紙穿孔器を使用するには先ず、穿孔する紙のサイズを、ゲージA上の刻印B，Cから探し出す。次いで、板バネDの弾発力によりベースEと、ゲージA間に生ずる摩擦力に抗してゲージAを摺動させ、先に探し出した刻印B又はCと、紙穿孔器のベースEにある標識Fとを合致させる。この合致させた時、ゲージAの裏側には、刻印B及びC各々に対応させた凹部G及びHが形成させてあるので、板バネDの凸部Iが、前記探し出した刻印B又はCの何れかに対応した凹部G又はHに嵌入し、ゲージAが意に反して移動することが無いよう係止される。
【０００４】
次にこのような状態から穿孔すべき紙を、穿孔部を介し、穿孔すべき紙が挿入される奥行きを規定するストッパー（図示せず）に当接するまで挿入する。更にこの当接状態を維持したまま、当接している穿孔すべき紙の辺と隣り合う辺を、ゲージAの係紙片Jに当接させる。このことによって、穿孔すべき前記紙の、紙穿孔器上に於ける位置が確定され、穿孔が行われるものであった。
【発明の開示】
【発明が解決しようとする課題】
【０００５】
然し乍、前記図１及び図２に示す紙穿孔器の穿孔位置画定装置にあっては、次のような欠点があった。
即ち、ゲージAは常時板バネDによりベースEの裏面に押圧されているものであり、ゲージAとベースEの間に生じる摩擦力に抗してゲージAを調節する必要があった。
更にゲージAの凹部G又はHに、板バネDの凸部Iが嵌入しているか、爾後嵌入する場合、ゲージAの前記調節は凸部Iが凹部G又はHから離脱するような力を加えながら行う必要があった。
従ってゲージAの調節は、ゲージAとベースE間の「摩擦力」と、凹部G又はHから凸部Iを「離脱させる力」とを併せた力を必要とするものであった。
【０００６】
因って、上記の調節作業は、片手のみで簡単に出来る程の簡単な作業ではなく、例えば一方の手で穿孔器を固定保持し、他方の手の指で係止片Jを摘んでゲージAの位置を調節するものであった。
【０００７】
更に、この紙穿孔器の場合、ゲージAを紙サイズに対応した位置へ、一時的に保持する必要があり、この保持のための機構、即ち凸部Iを有する板バネDや、凹部G又はH及びこれに付帯する機構を必要とした。従ってこれらの機構は複雑になり、紙穿孔器全体としてのコスト上昇が免れ得ないものであった。
【０００８】
其の上、この種の紙穿孔器に於けるベースEは金属製の上部筐体と、樹脂製の下部筐体とから構成され、この上部筐体側にゲージAを装架するものであった。然しながらこの紙穿孔器にはゲージAの装架を必要とする需要と、ゲージAの装架を必要としない需要とがあった。この需要に応えるため、メーカーはゲージAを装架したものと、装架しないものとの両紙穿孔器を供給していた。従って、この点に於いても紙穿孔器全体としてのコストアップを避け得ないものであった。
【課題を解決するための手段】
【０００９】
本発明の目的は、上記の欠点を解消した紙穿孔器の提供にあり、請求項１の手段は、
「一端に回動軸を有する回動レバーにより駆動される穿孔刃と、
該穿孔刃が嵌入する嵌入孔を有すると共に該嵌入孔に連通する空所を有する基部と、
前記回動軸線と平行なストッパーとを有し、
前記穿孔刃と前記嵌入孔及び前記ストッパーにより区画される紙挿入域に挿入された紙に貫通孔を形成するようにした紙穿孔器に於いて、
前記基部側壁に前記回動軸の軸線と平行な方向に貫通させた開孔と、
該開孔に緩着してあり、該開孔を介し、前記基部の内外に延びる棒状体と、
前記基部内に位置している棒状体の対向する第一側と第二側で前記棒状体を摺動し易いように緩着すると共に前記回動軸と平行な方向に案内する第一と第二のガイド部材と、
前記第一側と第二側とは異なる対向した第三側と第四側で前記棒状体を、該棒状体の第三側と間隙を適度なものにすると共に前記回動軸と平行な方向に案内する第三と第四のガイド部材と、
前記基部に対する前記棒状体の最大突出量を前記基部と衝接することにより規定する前記棒状体に形成した制限手段と、
該制限手段で制限された際の前記基部側壁から突出する棒状体部分に設けられる紙サイズに応じた貫通孔の位置を規定する複数の紙衝接用突起とから成る紙穿孔器。」
にある。
【００１０】
請求項２の手段は、
「前記基台を上部筐体と下部筐体とで形成し、且つ該下部筐体に前記開孔を設けると共に、該開孔を介して前記基部内外に延びる前記棒状体のガイドされた動きを前記上部筐体が妨げないようにするスペーサーを前記下部筐体に設けた請求項１記載の紙穿孔器。」
にある。
【００１１】
請求項３の手段は、
「前記下部筐体の開孔を介して前記基部内外に延びる前記棒状体のガイドされた動きを前記上部筐体が妨げないよう該上部体筐体を支承するスペーサーを前記下部筐体に設けた請求項２記載の紙穿孔器。」
にある。
【発明の効果】
【００１２】
上記の如く、請求項１の発明は、次の効果を有する。
１）基部からの棒状体の出し入れを、棒状体の自重で行うことが出来、其の自重で突出した棒状体の紙衝接用突起に穿孔すべき紙を合わせるのみであるため、一方の手で紙穿孔器を持ち、他方の手で穿孔すべき紙を持ち、持ったこれらの手を持ち替えたり離したりせずに、一連の穿孔操作を完遂することが出来、スピーディーな穿孔が出来る。
２）棒状体を自重で落下させ、穿孔すべき紙サイズに対応する紙衝接用突起に、穿孔すべき紙を合わせるのみであるため、従来の様なスケールを出し入れする調節が不要である。
３）構造が簡単であり、安価に提供することが出来る。
【００１３】
一般的に構造が複雑で、製造コストの嵩む上部筐体に、棒状体が備わったものと、備わっていないものの二種類を揃えるよりも、構造が簡単で製造コストの安い下部筐体の方に棒状体が備わったものと、備わっていないものの二種類を揃えた方が紙穿孔器全体として安価に提供することが出来きる。本発明は、下部筐体に棒状体を装架したものと、装架しないものとを揃え、これを選択的に上部筐体と組み合わせるようにしたので、棒状体の要、不要何れの需要にも紙穿孔器全体としてコストを安価にしたものを提供することが出来る効果を有する。
【００１４】
請求項３の発明は、既製の上部筐体を利用し、これに本発明に係る下部筐体を組み込んで本発明の紙穿孔器を製品化する場合であっても、スペーサーが、上部筐体を支持するので、棒状体の逃げを目的とする、上部筐体への後加工が不要であるため、更に安価な紙穿孔器を提供することが出来るという効果を有する。
【発明を実施するための最良の形態】
【００１５】
以下本発明の実施例に従い詳細に説明する。
【００１６】
図３、図４、図６、図７及び図８は、本発明の第一の実施例であり、１は、紙穿孔器たる事務用パンチ（以下パンチという）である。基部たる基台２は、金属製の上部筐体３と、樹脂製の下部筐体４とから成る。そして上部筐体３には、其の側壁５の外周５ａ全周に亘りフランジ６が形成されてあり、其の内周５ｂは後述する屈曲部の当接に供される。
【００１７】
下部筐体４における側壁４ａは、外周４ｂと内周４ｃとから成り、内周４ｃ全体に亘り、前記フランジ６と係合する鈎部７が形成されてある。該鈎部７と前記フランジ６とにより、上部筐体３と下部筐体４とが着脱自在に一体化され、基台２に空所８が形成される。
【００１８】
前記下部筐体４の四隅には、図７、図３及び図６に示す如く、上部筐体３の下部周縁５ｃを支持するスペーサー９が設けられている。又、下部筐体４の側壁４ａには、開孔１０が設けてあり、更に、この開孔１０に連なるように第一のガイド部材及び第二のガイド部材であるガイド１１及び１２が、底壁１３に突設されてある。
【００１９】
上部筐体３の上壁１４には、図３に示す如く嵌入孔１５が設けられていると共に、ストッパー１６が形成されてある。
【００２０】
１７は、棒状体たるゲージであり、其の一端側には紙衝接用突起たる突片１８及び１９が形成されてある。又、其の他端側には、制限手段たる屈曲部２０が形成されてある。
【００２１】
このゲージ１７は、上部筐体３が外された状態で下部筐体４の内側から、弾性を有する樹脂製であることの特性を利用して、開孔１０に挿通されているものである。
【００２２】
挿通されたゲージ１７は更に、図７、図８に示される如く第一のガイド部材たるガイド１１と、左縁２１ｂ，及び第二のガイド部材たるガイド１２と右縁２１ｃにより、水平方向での摺動の方向が規制されると共に、該ガイド１１、ガイド１２間に摺動し易いように緩着されてある。
【００２３】
更に図３、図４及び図６に示す、鈎部７とフランジ６との係合により、上部筐体３と下部筐体４とが一体化した状態にあって、ゲージ１７は、図６、図８に示される如く第三のガイド部材たる上壁１４及び開孔１０の上縁２１により、上下方向での上方が規制される。又、ゲージ１７は、第四のガイド部材たる底壁１３及び開孔１０の下縁２１ａにより、上下方向での下方が規制される。尚、開孔１０とゲージ１７間の間隙は、ゲージ１７の摺動を容易ならしめるような大きさに設定してある。無論、ゲージ１７に於ける屈曲部２０と、上部筐体３間の間隙にしても同様である。
【００２４】
２２は脚部であり、これは図３上で前後に所定間隔を保持させて、二脚を上部筐体３上に各々立設してある。そして、これら前後の脚部２２には、基台２の長手方向に向けた回動軸たる枢着ピン２３が挿通されてある。
【００２５】
この枢着ピン２３には、反時計方向回りの付勢を受け、前記前後の脚部２２に跨る大きさに形成されたレバー２４が回動自在に枢着されてある。
【００２６】
このレバー２４には、図３上でレバー２４を前後方向に貫通するピン２５が設けてある。そして、このピン２５には、所定間隔を保持させた二本の穿孔刃たるピストン２６が其の上端部で枢着されてある。他方、ピストン２６の各下端部は、前記各脚部２２に、前記各嵌入孔１５と対向するように形成した各ガイド孔２７に挿通してある。
【００２７】
尚、２８は、レバー２４を枢着ピン２３回りに回動させる際の、ピン２５を逃がすための長孔である。又、２９は穿孔する紙の、紙挿入域である。そして、上部筐体３の下部周縁５ｃを支持する前記スペーサー９は、上部筐体３の側壁５がゲージ１７の動きを妨げることが無いような高さに設定される。
【００２８】
図５は、本発明に於ける第二の実施例を示し、これは第一の実施例と略其の構成を同じくするものである。因って同じ箇所については第一の実施例と同一の符号を付して其の説明を省略する。
【００２９】
３０は、ゲージ１７を空所８内に導入するための逃げであり、ゲージ１７の摺動が妨げられることの無い十分な大きさに切り欠いてある。
【００３０】
３１は、下部筐体４の内周３２に当接して、ゲージ１７の最大突出量を規定する、制限手段たる段部である。この段部３１は、ゲージ１７を折曲することにより形成される。
【００３１】
第二の実施例は、第一の実施例の場合と異なりスペーサー９を有しないので、フランジ部６と係合する鈎部３３は、第一の実施例の場合に比較し、幾分低い位置に形成されてある。
【００３２】
３４は、第三のガイド部材である上壁１４と摺接する摺接部を示す。又、ゲージ１７に段部３１を形成したことに関連し、図８に示す如く第一の実施例における開孔１０(実線で示す)の位置よりも、第二の実施例に於ける開孔１０(二点鎖線で示す)は、幾分高い位置に開孔されてある。
【００３３】
尚、前記第一の実施例と同様、開孔１０とゲージ１７間の間隙は、ゲージ１７の摺動を容易ならしめるような大きさに設定してある。無論、ゲージ１７に於ける摺接部３４と、上部筐体３間の間隙にしても同様である。
【００３４】
本発明に係る実施例の構成は上記のとおりであり、先ず、第一の実施例の作用を図３、図４、図６及び図７に従って説明する。
【００３５】
図３に示す状態に於けるパンチ１のレバー２４上面に、操作者の右手の親指を、又右手の残る指全てを底壁１３に、各々枢着ピン２３側とは異なる側から添える。
次いで、上記のように右手で保持したパンチ１を、保持している右手によって突片１８側が下方になるよう傾ける。
【００３６】
この傾けにより、ゲージ１７は、図４に示す如く上部筐体３の内周５ｂと屈曲部２０とが当接する迄自重で容易に落下する。
【００３７】
このゲージ１７の落下は、ゲージ１７の上面が開孔１０の上縁２１及び上部筐体３の上壁１４によりガイドされ、下面が開孔１０の下縁２１ａ及び下部筐体４の底壁１３にガイドされる。
【００３８】
同様に、ゲージ１７の両側面を、開孔１０の左縁２１ｂ，右縁２１ｃ及びガイド１１、ガイド１２がガイドする。
【００３９】
上記したゲージ１７の容易な落下は、以下の点によって実現している。
Ａ．ゲージ１７は、ガイド１１、１２間に緩着されている。
Ｂ．開孔１０に対し、ゲージ１７を緩着してある。
Ｃ．屈曲部２０と、上壁１４間の間隙を、適度なものにする。
【００４０】
ゲージ１７が、上記の如く最大限落下した状態のまま、穿孔すべき紙を左手で持ち、これを枢着ピン２３側から、ストッパー１６に当接するまで、紙挿入域２９に挿入する。
【００４１】
続いてこの挿入域２９にある紙の、突片１８、１９側に位置する辺を、穿孔する紙のサイズに対応した突片１８又は１９に当接させる。
【００４２】
更に続いて、上記した右手の親指によりレバー２４を、枢着ピン２３回りに、反時計方向の付勢に抗して前記親指以外の指で支えている底壁１３方向へ回動させる。
【００４３】
この操作により、ピン２５を介してピストン２６が、ガイド孔２７にガイドされながら下降を続ける。このピストン２６の下降は、紙を穿孔しながら更に嵌入孔１５に嵌入し、終には紙の穿孔で生じた紙切れを、基台２の空所８に落下させる。
【００４４】
この空所８は、落下した紙切れのストッカーとしての働きのほか、図６に示される如く、ゲージ１７の格納庫としての働きも兼ねるものである。
【００４５】
ピストン２６が、紙切れを空所８に落下させた後は、前記右手親指に加えていた力を緩める。このことにより、前記反時計回りの付勢により、レバー２４は元の状態に復帰する。
【００４６】
レバー２４の復帰は、ピン２５を介して、ピストン２６を上昇させる。この上昇後は、穿孔済みの紙を紙挿入域２９から、前記把持していたままの左手で取り除き、紙への穿孔作業は終了する。
【００４７】
次いで、前記の右手の緩めた親指と、親指以外の指とで、保持されているパンチ１を、穿孔時とは逆に、突片１８，１９側が上方になるよう傾ける。このことによりゲージ１７は、突片１９が下部筐体４の外周４ｂに当接するまで自重で容易に空所８内へ落下し、格納される。
この容易な落下は、前述と同様の理由による。
【００４８】
上部筐体３から下部筐体４を離脱させる場合、樹脂製である下部筐体４の側壁４ａを外方に押し広げることにより鈎部７が、フランジ６との係合から外れ、離脱を可能にする。このことにより、紙の穿孔で、空所８に堆積した紙切れの処分が出来ることになる。
【００４９】
次に本発明の第二の実施例を示す図５に従って其の作用を説明する。
尚、第二の実施例の作用は、前記第一の実施例の作用と略同じであるため、ここでは第一の実施例と異なる部分についてのみ説明する。
【００５０】
前記第一の実施例と同様、突片１８側が下方になるようパンチ１を傾けて、ゲージ１７を空所８から突出するように自重で落下させる。この落下はゲージ１７の制限手段たる段部３１と，下部筐体４に於ける側壁４ａの内周３２との当接により制限される。
【００５１】
紙への穿孔終了後は、前記第一の実施例と同様、突片１８，１９側が、上方になるよう傾ける。このことによりゲージ１７は、突片１９が下部筐体４の外周４ｂに当接するまで自重で容易に空所８内へ落下し格納される。
【００５２】
尚、上記第一及び第二の実施例に於いて、ゲージ１７上の突片は二つであるが、これに限定されず、二つ以上でもよい。又、ゲージ１７の格納は、突片１９が側壁４aに当接ことにより終了するように構成してある。然しながらこれに限定されず、他の突片でもよく、例えば突片１９が側壁４aに当接するようなものであってもよい。
【図面の簡単な説明】
【００５３】
【図１】従来の紙穿孔器に於ける穿孔位置画定装の縦断面図である。
【図２】従来の紙穿孔器に於ける穿孔位置画定装置の平面図である。
【図３】本発明に係る第一の実施例を示す側面図である。
【図４】本発明に係る第一の実施例の部分拡大断面図である。
【図５】本発明に係る第二の実施例の部分拡大断面図である。
【図６】本発明に係る第一の実施例のＡ−Ａ線縦断面図である。
【図７】本発明に係る第一の実施例に於ける下部筐体の平面図である。
【図８】本発明に係る第一の実施例における下部筐体に形成した開孔部分の拡大図である。
【符号の説明】
【００５４】
１  紙穿孔器たるパンチ
２  基部たる基台
３  上部筐体
４  下部筐体
４ａ  基部側壁たる側壁
８  空所
９  スペーサー
１０  開孔
１１  第一のガイド部材であるガイド
１２  第二のガイド部材であるガイド
１３  第四のガイド部材である底壁
１４  第三のガイド部材である上壁
１５  嵌入孔
１６  ストッパー
１７  棒状体たるゲージ
１８  紙衝接用突起たる突片
１９  紙衝接用突起たる突片
２０  制限手段たる屈曲部
２１  上縁
２１ａ  下縁
２１ｂ  左縁
２１ｃ  右縁
２３  回動軸たる枢着ピン
２４  回動レバーたるレバー
２６  穿孔刃たるピストン
２９  紙挿入域
３１  制限手段たる段部
【要約】
【課題】穿孔位置確定装置を備えた紙穿孔器は、確定位置の係止と解除を繰り返し乍、紙に合った穿孔位置を決めるので、操作性、作業性が悪かった。又、穿孔位置画定装置によるコスト高に加え、樹脂製の下部筐体に比し金属製で加工性の悪い上部筐体に、前期穿孔位置確定装置が形成してあり、この点でもコスト性を悪くしていた。本発明は、これらの欠点を解消した紙穿孔器の提供を目的とする。                                                                                  
【解決手段】引き出し操作、自重の何れによっても、棒状体が基部から最大限突出できるようにする。この突出する棒状体には、穿孔すべき紙のサイズに応じた突片を設ける。この突片に対し、選択的に穿孔すべき紙を当接させることにより、穿孔すべき紙の穿孔位置を確定する。更に、前記棒状体を、金属製の上記筐体と樹脂製の下部筐体から成る前記基部における前記下部筐体に設けると共に、該下部筐体に前記上部筐体を支持するスペーサーを設ける。                                                                                                                                      
【選択図】図６【図１】
0004151914.tif 000002
【図２】
0004151914.tif 000003
【図３】
0004151914.tif 000004
【図４】
0004151914.tif 000005
【図５】
0004151914.tif 000006
【図６】
0004151914.tif 000007
【図７】
0004151914.tif 000008
【図８】
0004151914.tif 000009